(57)【特許請求の範囲】
【請求項１】
平板状のフランジ部と、前記フランジ部につながる有底柱状の収容部と、前記収容部の一側に形成されて前記フランジ部側に開口する開口部とを備えて、鉢などの他部材を前記開口部から挿入して前記収容部に収容可能な立掛け用又は壁掛け用の収容容器において、
前記収容容器が、前記フランジ部と前記収容部が一体成形されてなる樹脂製の一体成形品であり、前記収容部が、前記開口部から底側に向かうにつれて前記フランジ部の一縁側の張出し方向に次第に傾斜した状態で前記フランジ部に連結し、
前記収容部の収容寸法が、前記開口部側から底側に向かうにつれて次第に狭小とされて、前記収容容器の前記収容部に、前記収容容器と同形同寸である他の収容容器の収容部を嵌め込み可能である収容容器。
【発明の詳細な説明】
【技術分野】
【０００１】
本発明は、鉢などの他部材を収容可能な収容容器（立掛け用又は壁掛け用の収容容器）に関する。
【背景技術】
【０００２】
この種の収容容器として特許文献１に開示の植栽壁掛けが公知である。この植栽壁掛けは、容器と、容器内に収納される複数の層を有する。容器は、一側が開口する直方体状で有底の部材であり、ステンレスなどの金属板を直方体状に内折することで形成できる。また複数の層は、容器の開口側に配置する表面層（マット材）と、容器の底側に配置する裏面層（マット材）と、これら両層の間に配置する中間層（土壌）である。公知技術では、複数の層を適宜の順で容器内に収納したのち、表面層の孔部から植物を通過させて、植物の根を中間層に配置する。そして容器を縦向きにしつつ、容器の裏面側に設けたスペーサを壁体に掛止める。そして公知技術では、容器の開口側の縁部を内方に屈曲させることで、容器内の植物及び層の脱落を好適に防止することができる。
【先行技術文献】
【特許文献】
【０００３】
【特許文献１】特開２０１１−８７４７９号公報
【発明の概要】
【発明が解決しようとする課題】
【０００４】
ところでこの種の容器は、運搬時や保管時などに他の容器の上に重ねて配置するのが一般的である。しかし公知技術の容器は、直方体状の箱体であり、開口側の縁部が内方側に屈曲する。このため公知技術の構成では、複数の容器を運搬などする際に、他の容器（同形同寸）を容器内に嵌込むことができず、重ね置きした際にかさばるなどの問題があった（やや運搬性能等に劣る構成であった）。また容器の製造に際して、金属板を適宜の形に折製するため、製造作業が面倒で且つ複雑な構成になりがちであった。本発明は上述の点に鑑みて創案されたものであり、本発明が解決しようとする課題は、比較的シンプルで且つ性能に優れる収容容器を提供することにある。
【課題を解決するための手段】
【０００５】
上記課題を解決するための手段として、第１発明の収容容器は、平板状のフランジ部と、フランジ部につながる有底柱状の収容部と、収容部の一側に形成されてフランジ部側に開口する開口部とを備える。本発明の収容容器では、鉢などの他部材を開口部から挿入して収容部に収容可能である。そして収容容器を、立掛け状態又は壁掛け状態とするのであるが、この種の収容容器は、比較的シンプルで且つ性能（運搬性能など）に優れることが望まれる。
【０００６】
そこで本発明では、収容容器が、フランジ部と収容部が一体成形されてなる樹脂製の一体成形品（比較的シンプルな構成）である。そして収容部が、開口部から底側に向かうにつれてフランジ部の一縁側の張出し方向に次第に傾斜した状態でフランジ部に連結する。さらに収容部の収容寸法が、開口部側から底側に向かうにつれて次第に狭小とされて、収容容器の収容部に、収容容器と同形同寸である他の収容容器の収容部を嵌め込み可能である。本発明では、収容容器の収容部に、他の収容容器（収容容器と同形同寸）の収容部を嵌め込み可能としたことで、運搬性能などに優れる構成となる。さらに本発明では、収容部が、フランジ部に対してその一縁側の張出し方向に次第に傾斜した状態で連結する。このため例えばフランジ部を垂直に近い状態で配置した際に、フランジ部に対して収容部を斜め下方に延設させることができる（使い勝手の良い構成となる）。
【発明の効果】
【０００７】
本発明に係る第１発明によれば、比較的シンプルで且つ性能の良い収容容器を提供することができる。
【図面の簡単な説明】
【０００８】
【図１】収容容器の斜視図である。
【図２】収容容器を別角度から見た斜視図である。
【図３】立掛け状態の収容容器の側面図である。
【図４】別部材を収容した収容容器の透視側面図である。
【図５】他の別部材を収容した収容容器の透視側面図である。
【図６】さらに他の別部材を収容した収容容器の透視側面図である。
【図７】壁掛け状態の収容容器の側面図である。
【図８】別の収容容器を嵌め込んだ収容容器の透視側面図である。
【図９】変形例１の収容容器の上面図である。
【図１０】変形例２の収容容器の上面図である。
【図１１】変形例３の収容容器の上面図である。
【発明を実施するための形態】
【０００９】
以下、本発明を実施するための形態を、図１〜図１１を参照して説明する。なお図３〜図７には、収容容器の上方に符号ＵＰ、収容容器の下方に符号ＤＷを付す。本実施例の収容容器２（詳細後述）は、立掛け用又は壁掛け用の容器であり、後述の他部材（３１〜３３）を収容できる（図１〜図７を参照）。そして本実施例では、後述する運搬時や保管時において、収容容器２に、他の収容容器２Ａ（収容容器２と同形同寸の容器）を重ねて配置する（図８を参照）。この種の収容容器２は、比較的シンプルで且つ性能（運搬性能など）に優れることが望まれる。そこで本実施例では、後述するように、比較的シンプルで且つ性能の良い収容容器２を提供することとした。以下、各構成について詳述する。
【００１０】
（他部材）
ここで本実施例では、他部材として、複数種類の鉢（第一鉢３１，第二鉢３２，第三鉢３３）を想定できる（図４〜図６を参照）。第一鉢３１は、一側に開口を有する有底四角柱状の部材（中空）であり、植物や用土などを内部に収容可能である（図４を参照）。そして第一鉢３１は、開口に比して底部が小さくされて、その収容寸法が、上方から下方に向かうにつれて次第に小さくされる。また第二鉢３２は、一側に開口を有する有底円柱状の部材（中空）であり、第一鉢３１に比してやや径寸法（幅寸法）が大きく設定される（図５を参照）。そして第三鉢３３は、第二鉢３２と略同形の部材であり、第一鉢３１よりも長さ寸法と径寸法（幅寸法）が小さく設定される（図６を参照）。
【００１１】
（収容容器）
本実施例の収容容器２は、樹脂製の一体成形品（比較的シンプルな構成）であり、後述するフランジ部１０と収容部２０を一体的に成形してなる（図１〜図３を参照）。ここで収容容器２の材質（樹脂の種類）は特に限定しないが、他部材を安定的に収容可能な強度を有することが望ましい。この種の材質として、ポリプロピレン（ＰＰ）、ポリスチレン（ＰＳ）、ポリエチレン（ＰＥ）、塩化ビニル（ＰＶＣ）、ポリエチレンテレフタレート（ＰＥＴ），アクリロニトリルブタジエンスチレン（ＡＢＳ）を例示できる。
【００１２】
（フランジ部）
フランジ部１０は、平板状の部位であり、収容容器２の一側（後述する開口部２２側）に形成できる（図１〜図３を参照）。本実施例のフランジ部１０は、略矩形（正面視）の平板部位であり、フランジ部１０の四辺周縁をなす複数の縁部（第一縁部１１〜第四縁部１４）を有する。各縁部１１〜１４は、それぞれ収容部２０（後述の開口部２２）から外側に向けて張出すとともに、その縁端が、底側に向けて略Ｌ字に屈曲する。ここでフランジ部１０の寸法Ｌ２（立掛け状態時の上下寸法）は、運搬時などに過度に邪魔とならない限り特に限定しないが、本実施例では、例えば開口部２２（後述）の寸法Ｌ１の倍程度に設定できる（図３を参照）。
【００１３】
そして本実施例では、後述する立掛け状態において、フランジ部１０を、下部から上部に向かうにつれて次第に収容部２０側に傾斜した状態（垂直状態から傾斜角θ１で傾斜した垂直に近い状態）で配置できる（図３を参照）。例えば本実施例では、フランジ部１０の傾斜角θ１を１°〜１５°に設定することで、収容容器２内に収容した各鉢３１〜３３の植物（図示省略）を見栄え良く露出させることができる（図４〜図６を参照）。そして本実施例では、立掛け状態時のフランジ部１０において、第一縁部１１が下方に配置するとともに第二縁部１２が上方に配置し、第三縁部１３と第四縁部１４が、それぞれ収容容器２の側壁部側に配置する。
【００１４】
（収容部）
収容部２０は、フランジ部１０につながる有底柱状の部位（中空）であり、複数種類の他部材３１〜３３を収容可能な寸法（幅寸法及び長さ寸法）を有する（図１〜図６を参照）。本実施例の収容部２０は、四角柱状（中空）をなして第二鉢３２よりも大きな内部空間を有する部材であり、開口部２２と、底部２４と、複数の側壁部（第一側壁部２６ａ〜第四側壁部２６ｄ）を有する。開口部２２は、略正方形状（正面視）をなす収容部２０の開放部位であり、収容部２０の一側に形成されてフランジ部１０の略中央に開口する（図１を参照）。また底部２４は、開口部２２よりも小さい略正方形状の平板部位であり、収容部２０の他側に配置する（図２を参照）。そして本実施例では、底部２４の縁側（後述の立掛け又は壁掛け状態時を基準として上方に位置する縁側）に貫通孔２８が設けられる。本実施例の貫通孔２８は、瓢箪形状（正面視）をなしており、後述する壁掛け時において壁体Ｗから突出する掛止め具４０（例えば略横Ｊ字状の部材）を掛止め可能である（図７を参照）。
【００１５】
また第一側壁部２６ａ〜第四側壁部２６ｄは、それぞれ収容部２０の側面をなす平板部位（正面視で略台形状）である（図１〜図３を参照）。本実施例では、例えば収容容器２を立掛け（壁掛け）して第一縁部１１を下に配置した場合に、第一側壁部２６ａが下方に配置しつつ開口部２２から底部２４に向けて延設される（図３〜図７を参照）。また第二側壁部２６ｂが、第一側壁部２６ａの対面位置（上方）に配置しつつ、開口部２２から底部２４に向けて延設される。そして同状態において、第三側壁部２６ｃと第四側壁部２６ｄが、それぞれ収容部２０の側方で対面配置しつつ、開口部２２から底部２４に向けて延設される。
【００１６】
そして本実施例では、収容部２０が、開口部２２側から底部２４側に向かうにつれて第一縁部１１（フランジ部１０の一側）の張出し方向に次第に傾斜した状態で連結する（図３を参照）。すなわち本実施例では、第一側壁部２６ａと第二側壁部２６ｂが、開口部２２側から底部２４側に向かうにつれて、第一縁部１１の張出し方向に向けて傾斜した状態とされる。そして本実施例では、後述するように第一縁部１１と第一側壁部２６ａの底側を支点として収容容器２を立掛けした状態とする。このとき収容容器２が、フランジ部１０に対して下方に傾斜した状態とされて、収容部２０の底側（断面視で三角状の部位）に水ＷＴを貯留することができる（図４〜図６を参照）。なおフランジ部１０に対する第一側壁部２６ａの傾斜角θ２は、収容部２０の長さ寸法等を考慮して、フランジ部１０を適切な傾斜角θ１で傾斜させることができる限り特に限定しない。
【００１７】
さらに本実施例では、開口部２２に比して底部２４が小さくされて、収容部２０の収容寸法が、開口部２２側から底部２４側に向かうにつれて次第に狭小とされる（図３〜図６を参照）。本実施例では、第一側壁部２６ａと第二側壁部２６ｂが、開口部２２側から底部２４側に向かうにつれて次第に互いに近づく向きに傾斜する（第二側壁部２６ｂの傾斜度合いが第一側壁部２６ａに比して大きく設定される）。また同様に第三側壁部２６ｃと第四側壁部２６ｄが、開口部２２側から底部２４側に向かうにつれて次第に近づく方向に傾斜する。こうして本実施例では、後述するように収容容器２の収容部２０に、他の収容容器２Ａの収容部２０を嵌め込むことが可能となり、また他の収容容器２Ａを収容容器２からスムーズに抜き出すことが可能となる（図８を参照）。なお第三側壁部２６ｃと第四側壁部２６ｄの傾斜度合いは略同一であるが、どちらか一方の傾斜度合いを大きくすることもできる。
【００１８】
［収容容器の使用態様］
図３〜図６を参照して、第一側壁部２６ａ（底部２４側）と第一縁部１１を支点として、収容容器２を立掛けする。このとき本実施例では、フランジ部１０が傾斜角θ１で（垂直状態からやや収容部２０側に傾斜した略垂直に近い状態で）配置されることで、各鉢３１〜３３内の植物を見栄え良く見せることができる。さらに本実施例では、収容部２０が、開口部２２側から底部２４側に向かうにつれて第一縁部１１の張出し方向に次第に傾斜した（斜め下方に傾斜した）状態で連結する。このため各鉢３１〜３３を収容部２０に安定感良く収容しつつ、収容部２０の下部側に水ＷＴを貯留して各鉢３１〜３３内の植物に適宜供給できる（使い勝手の良い構成となる）。
【００１９】
また本実施例では、壁体Ｗの掛け止め具４０を、収容部２０の貫通孔２８に挿入して掛け止めることにより、壁体Ｗに対して収容容器２を壁掛け状態とすることができる（図７を参照）。この壁掛け状態においてもフランジ部１０に対して収容部２０を斜め下方に延設させることで、収容部２０に各鉢３１〜３３を安定感良く収容しつつ、収容部２０の下部側に水を貯留できる。
【００２０】
［収容容器の運搬（保管）態様］
次に図８を参照して、運搬時や保管時などに他の収容容器２Ａ（収容容器２と同形同寸の容器）を収容容器２に重ねて配置する。このとき本実施例では、収容部２０の収容寸法が、開口部２２側から底部２４側に向かうにつれて次第に狭小とされる。このため収容容器２の収容部２０に、他の収容容器２Ａの収容部２０を嵌め込むことができる（運搬性能などに優れる構成である）。また本実施例では、上述の構成により、各収容容器２，２Ａの使用に際して、他の収容容器２Ａ（収容部２０）を収容容器２（収容部２０）からスムーズに抜け出させることができる。
【００２１】
以上説明したとおり本実施例では、収容容器２が、フランジ部１０と収容部２０が一体成形されてなる樹脂製の一体成形品（比較的シンプルな構成）とされる。また本実施例では、収容容器２の収容部２０に、収容容器２と同形同寸である他の収容容器２Ａの収容部２０を嵌め込み可能としたことで、運搬性能などに優れる構成となる。さらに本実施例では、フランジ部１０を垂直に近い状態で配置した際に、フランジ部１０に対して収容部２０を斜め下方に延設させることができる（収容部２０に水ＷＴを貯留可能となるなどの使い勝手の良い構成となる）。この結果として本実施例によれば、比較的シンプルで且つ性能の良い収容容器２を提供することができる。
【００２２】
［変形例］
ここでフランジ部と収容部の構成は、上述の構成のほか、各種の構成を取り得る。例えば変形例１の収容容器２Ｂでは、フランジ部１０Ｂと収容部２０Ｂ（開口部２２Ｂ）を、上方視で四隅が円弧状とされた（角部のない）略正方形状とすることができる（図９を参照）。また変形例２の収容容器２Ｃでは、収容部２０Ｃ（開口部２２Ｃ）を円形として、フランジ部１０Ｃを、上方視で四隅が円弧状とされた（角部のない）略正方形状とすることができる（図１０を参照）。そして変形例３の収容容器２Ｄでは、フランジ部１０Ｄと収容部２０Ｄ（開口部２２Ｄ）を、それぞれ略八角形状（四隅をやや短尺な辺とした八角形状）とすることができる（図１１を参照）。上述の各変形例の収容容器２Ｂ，２Ｃ，２Ｄでは、収容容器２に比して四隅が角ばっていないため、運搬時や使用時などにおける取扱い性に優れる構成となる。
【００２３】
本実施形態の収容容器は、上述した実施形態に限定されるものではなく、その他各種の実施形態を取り得る。例えば本実施形態では、収容容器２等の構成（形状，寸法など）を例示したが、同容器の構成を限定する趣旨ではない。例えばフランジ部は、上方視で各種の多角形状や略円形状（円形や楕円形など）とすることができ、このとき少なくとも第一縁部を辺とすることで、フランジ部を安定感良く立掛け状態とすることができる。またフランジ部は、縁部に向かうにつれて次第に収納部側に湾曲する形状や段差状であってもよく、第一縁部側のみで形成されていてもよい。またフランジ部に貫通孔を適宜形成して風などを通過可能とすることもできる。またフランジ部の張り出し寸法は、各縁部でそれぞれ異なっていてもよい。また同様に収容部も、各種の多角柱形状や、楕円柱形などの略円柱形状とすることができる。また収容部が、フランジ部から突出していてもよい。
【００２４】
また本実施例では、壁体Ｗの掛け止め具４０を、収容部２０の貫通孔２８に挿入して掛け止める例を説明した。これとは異なり収容部（底部）に掛け止め具を突出形成して、壁体の孔部（又は別の掛け止め具）に掛け止める構成とすることができる。そして掛け止め具の形状や寸法は適宜変更可能である。なお収容容器は、立掛け専用（貫通孔等を省略した形状）又は壁掛け専用とすることもできる。なお他部材として、鉢のほか、プランタなどの各種園芸用具を例示でき、また収容部に、複数の他部材を並べて配置することもできる。
【符号の説明】
【００２５】
２     収容容器
２Ａ   他の収容容器
１０   フランジ部
１１   第一縁部
１２   第二縁部
１３   第三縁部
１４   第四縁部
２０   収容部
２２   開口部
２４   底部
２６ａ 第一側壁部
２６ｂ 第二側壁部
２６ｃ 第三側壁部
２６ｄ 第四側壁部
２８   貫通孔
３１〜３３  鉢（他部材）
【図１】
0006328520.tif 000002
【図２】
0006328520.tif 000003
【図３】
0006328520.tif 000004
【図４】
0006328520.tif 000005
【図５】
0006328520.tif 000006
【図６】
0006328520.tif 000007
【図７】
0006328520.tif 000008
【図８】
0006328520.tif 000009
【図９】
0006328520.tif 000010
【図１０】
0006328520.tif 000011
【図１１】
0006328520.tif 000012